(57)【要約】【課題】着脱体の構成を共通化しつつ、誤装着を確実に防止すること。【解決手段】画像形成装置本体（Ｕ１）に着脱される着脱体（Ｋｙ，Ｋｍ，Ｋｃ，Ｋｋ，Ｋｙ′，Ｋｍ′，Ｋｃ′，Ｋｋ′，Ｋｙ″，Ｋｍ″，Ｋｃ″，Ｋｋ″）の装着位置への移動を規制する規制位置と許可する許可位置との間で移動する着脱体規制部材（ＫＳ１）と、着脱体（Ｋｙ，Ｋｍ，Ｋｃ，Ｋｋ，Ｋｙ′，Ｋｍ′，Ｋｃ′，Ｋｋ′，Ｋｙ″，Ｋｍ″，Ｋｃ″，Ｋｋ″）に関する着脱体情報を記憶する着脱体情報記憶部材（ＪＫＢ）と、着脱体情報記憶部材（ＪＫＢ）との間で情報を送受信する着脱体情報読取部材（ＣＲＷ）と、誤装着されていないか否かを判別する誤装着判別手段（Ｃ６Ｂ）と、誤装着されていないと判別された場合に、着脱体規制部材（ＫＳ１）を許可位置に移動させる規制部材制御手段（Ｃ６）と、を備えた画像形成装置（Ｕ）。【選択図】図５
2009103991.tif 000002
【特許請求の範囲】
【請求項１】
画像形成装置本体に装着された装着位置と、前記画像形成装置本体から離脱した離脱位置との間で移動可能に支持され、前記画像形成装置本体に着脱される着脱体と、
前記画像形成装置本体に支持され、前記装着位置と前記離脱位置との間に設定された誤装着規制位置に配置された着脱体規制部材であって、前記着脱体の前記装着位置側への移動を規制する規制位置と、前記着脱体の前記装着位置への移動を許可する許可位置との間で移動する前記着脱体規制部材と、
前記着脱体に支持され且つ、前記着脱体に関する着脱体情報を記憶する着脱体情報記憶部材と、
前記画像形成装置本体に支持され、前記着脱体情報記憶部材との間で情報を送受信して、前記着脱体情報を取得する着脱体情報読取部材と、
前記着脱体情報読取部材で読取った前記着脱体情報に基づいて、前記着脱体が誤装着されていないか否かを判別する誤装着判別手段と、
前記着脱体が誤装着されていないと判別された場合に、前記着脱体規制部材を前記許可位置に移動させる規制部材制御手段と、
を備えたことを特徴とする画像形成装置。
【請求項２】
画像形成装置本体に装着された装着位置と、前記画像形成装置本体から離脱した離脱位置との間で移動可能に支持され、前記画像形成装置本体に着脱される着脱体と、
前記画像形成装置本体に支持され、前記装着位置と前記離脱位置との間に設定された誤装着規制位置に配置された着脱体規制部材であって、前記着脱体の前記装着位置側への移動を規制する規制位置と、前記着脱体の前記装着位置への移動を許可する許可位置との間で移動する前記着脱体規制部材と、
前記着脱体に支持され且つ、前記着脱体に関する着脱体情報を記憶する着脱体情報記憶部材と、
前記画像形成装置本体に支持され、前記着脱体情報記憶部材との間で情報を送受信して、前記着脱体情報を取得する着脱体情報読取部材と、
前記着脱体情報読取部材で読取った前記着脱体情報に基づいて、前記着脱体が誤装着されていないか否かを判別する誤装着判別手段と、
前記着脱体が誤装着されていると判別された場合に、前記着脱体規制部材を前記規制位置に移動させる規制部材制御手段と、
を備えたことを特徴とする画像形成装置。
【請求項３】
前記着脱体規制部材を前記規制位置に常時移動させる規制位置移動部材と、
前記着脱体規制部材に接続され、通電時に前記着脱体規制部材を前記規制位置から前記許可位置に移動させる許可位置移動部材と、
を備えたことを特徴とする請求項１または２に記載の画像形成装置。
【請求項４】
内部に現像剤が収容された現像容器と、前記現像容器から収容された現像剤が排出される排出口と、前記排出口を開閉する開閉部材と、を有する現像剤補給用交換体により構成された前記着脱体、
を備えたことを特徴とする請求項１ないし３のいずれかに記載の画像形成装置。
【請求項５】
前記排出口を開放する開放位置と、前記排出口を遮蔽する遮蔽位置との間を移動可能な前記開閉部材であって、前記着脱体が前記装着位置に移動した状態で前記開放位置に移動し且つ前記着脱体が前記離脱位置に移動した状態で前記遮蔽位置に移動すると共に、前記誤装着規制位置において前記遮蔽位置に保持されるように設定された前記開閉部材、
を備えたことを特徴とする請求項４に記載の画像形成装置。
【請求項６】
内部に収容された現像剤の色に関する情報を含む前記着脱体情報と、
前記現像剤の色が適合しているか否かを判別することにより、前記着脱体が誤装着されていないか否かを判別する前記誤装着判別手段と、
を備えたことを特徴とする請求項４または５に記載の画像形成装置。
【請求項７】
前記着脱体が前記離脱位置から前記装着位置に向けて移動する際に、前記着脱体が前記着脱体規制位置に移動する前に、前記着脱体情報を読取り可能な位置に配置された前記着脱体情報読取部材、
を備えたことを特徴とする請求項１ないし６のいずれかに記載の画像形成装置。
【発明の詳細な説明】
【技術分野】
【０００１】
本発明は画像形成装置に関する。
【背景技術】
【０００２】
従来の画像形成装置において、着脱体の一例としての現像剤補給用交換体、いわゆる、トナーカートリッジの誤装着に対応するための技術として、下記の特許文献１〜３記載の技術が知られている。
特許文献１としての特開２００５−１３４４５２号公報には、トナーカートリッジＫｙ〜Ｋｋに、色毎に異なる誤装着防止突部１１７ｙ〜１１７ｋを形成しておき、誤装着防止突部１１７ｙ〜１１７ｋに対応する位置及び数の孔を有する誤装着防止部４６ｙ〜４６ｋを本体側に形成しておくことで、誤ったトナーカートリッジＫｙ〜Ｋｋが装着しようとした場合には、突部と孔の位置や数が一致しないことで、装着できないようにする技術が記載されている。すなわち、特許文献１には、いわゆる、ハードキーに関する技術が記載されている。
【０００３】
特許文献２としての特開２００４−５３７６１号公報には、トナーユニット３０ａ〜３０ｄを複写機１に近づけると、トナーユニット３０ａ〜３０ｄのメモリデバイスからユニット属性に関する情報を取得し、属性情報に関する内容を、装着前に、音声ガイドやランプ４１ａ〜４１ｄの点灯または点滅で報知することで、装着前にユーザに確認を促す技術が記載されている。
【０００４】
特許文献３としての特開２０００−２８４５８１号公報には、トナーボトル２１を第１の位置から第２の位置へ移動させる途中で、トナーボトル２１の通信装置Ｔ１から情報を読取り、トナーボトル２１が適合品である場合には、通常の画像形成プロセスを実行し、トナーボトル２１が適合品でない場合には、ユーザにより設定された画像形成条件で画像形成プロセスを実行する技術が記載されている。
【０００５】
【特許文献１】特開２００５−１３４４５２号公報（「００５６」、「００７４」）
【特許文献２】特開２００４−５３７６１号公報（「００２９」〜「００３７」、図２、図５、図６）
【特許文献３】特開２０００−２８４５８１号公報（「００３９」〜「００６３」（特に、「００５５」〜「００６２」）、図２、図４、図５、図７、図８）
【発明の開示】
【発明が解決しようとする課題】
【０００６】
本発明は、着脱体の構成を共通化しつつ、誤装着を確実に防止することを技術的課題とする。
【課題を解決するための手段】
【０００７】
前記技術的課題を解決するために、請求項１に記載の発明の画像形成装置は、
画像形成装置本体に装着された装着位置と、前記画像形成装置本体から離脱した離脱位置との間で移動可能に支持され、前記画像形成装置本体に着脱される着脱体と、
前記画像形成装置本体に支持され、前記装着位置と前記離脱位置との間に設定された誤装着規制位置に配置された着脱体規制部材であって、前記着脱体の前記装着位置側への移動を規制する規制位置と、前記着脱体の前記装着位置への移動を許可する許可位置との間で移動する前記着脱体規制部材と、
前記着脱体に支持され且つ、前記着脱体に関する着脱体情報を記憶する着脱体情報記憶部材と、
前記画像形成装置本体に支持され、前記着脱体情報記憶部材との間で情報を送受信して、前記着脱体情報を取得する着脱体情報読取部材と、
前記着脱体情報読取部材で読取った前記着脱体情報に基づいて、前記着脱体が誤装着されていないか否かを判別する誤装着判別手段と、
前記着脱体が誤装着されていないと判別された場合に、前記着脱体規制部材を前記許可位置に移動させる規制部材制御手段と、
を備えたことを特徴とする。
【０００８】
また、前記技術的課題を解決するために、請求項２に記載の発明の画像形成装置は、
画像形成装置本体に装着された装着位置と、前記画像形成装置本体から離脱した離脱位置との間で移動可能に支持され、前記画像形成装置本体に着脱される着脱体と、
前記画像形成装置本体に支持され、前記装着位置と前記離脱位置との間に設定された誤装着規制位置に配置された着脱体規制部材であって、前記着脱体の前記装着位置側への移動を規制する規制位置と、前記着脱体の前記装着位置への移動を許可する許可位置との間で移動する前記着脱体規制部材と、
前記着脱体に支持され且つ、前記着脱体に関する着脱体情報を記憶する着脱体情報記憶部材と、
前記画像形成装置本体に支持され、前記着脱体情報記憶部材との間で情報を送受信して、前記着脱体情報を取得する着脱体情報読取部材と、
前記着脱体情報読取部材で読取った前記着脱体情報に基づいて、前記着脱体が誤装着されていないか否かを判別する誤装着判別手段と、
前記着脱体が誤装着されていると判別された場合に、前記着脱体規制部材を前記規制位置に移動させる規制部材制御手段と、
を備えたことを特徴とする。
【０００９】
請求項３に記載の画像形成装置は、請求項１または２に記載の画像形成装置において、
前記着脱体規制部材を前記規制位置に常時移動させる規制位置移動部材と、
前記着脱体規制部材に接続され、通電時に前記着脱体規制部材を前記規制位置から前記許可位置に移動させる許可位置移動部材と、
を備えたことを特徴とする。
【００１０】
請求項４に記載の画像形成装置は、請求項１ないし３のいずれかに記載の画像形成装置において、
内部に現像剤が収容された現像容器と、前記現像容器から収容された現像剤が排出される排出口と、前記排出口を開閉する開閉部材と、を有する現像剤補給用交換体により構成された前記着脱体、
を備えたことを特徴とする。
【００１１】
請求項５に記載の画像形成装置は、請求項４に記載の画像形成装置において、
前記排出口を開放する開放位置と、前記排出口を遮蔽する遮蔽位置との間を移動可能な前記開閉部材であって、前記着脱体が前記装着位置に移動した状態で前記開放位置に移動し且つ前記着脱体が前記離脱位置に移動した状態で前記遮蔽位置に移動すると共に、前記誤装着規制位置において前記遮蔽位置に保持されるように設定された前記開閉部材、
を備えたことを特徴とする。
【００１２】
請求項６に記載の画像形成装置は、請求項４または５に記載の画像形成装置において、
内部に収容された現像剤の色に関する情報を含む前記着脱体情報と、
前記現像剤の色が適合しているか否かを判別することにより、前記着脱体が誤装着されていないか否かを判別する前記誤装着判別手段と、
を備えたことを特徴とする。
【００１３】
請求項７に記載の画像形成装置は、請求項１ないし６のいずれかに記載の画像形成装置において、
前記着脱体が前記離脱位置から前記装着位置に向けて移動する際に、前記着脱体が前記着脱体規制位置に移動する前に、前記着脱体情報を読取り可能な位置に配置された前記着脱体情報読取部材、
を備えたことを特徴とする。
【発明の効果】
【００１４】
請求項１，２に記載の発明によれば、着脱体の構成を共通化しつつ、本発明の構成を有しない場合と比べて、誤装着を低減することができる。
請求項３に記載の発明によれば、非通電状態で誤装着の判別ができない場合に規制部材を規制位置に保持でき、通電、非通電に関わらず、少なくとも誤装着は確実に防止することができる。
【００１５】
請求項４に記載の発明によれば、現像剤が収容された現像剤補給用交換体の誤装着を低減することができる。
請求項５に記載の発明によれば、着脱体が規制位置で規制されないときにのみ、着脱体の現像剤を画像形成装置に供給させることができ、色の間違いや機種の間違いで適合していない現像剤が混入するという誤装着を低減することができる。
請求項６に記載の発明によれば、異なる色が混入するという誤装着を低減することができる。
【００１６】
請求項７に記載の発明によれば、本発明の構成を有しない場合と比べて、着脱体が着脱体規制位置に到達する前に誤装着の判別ができ、誤装着でない場合に着脱体の移動動作を妨げずに装着することができる。
【発明を実施するための最良の形態】
【００１７】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００１８】
図１は実施例１の画像形成装置の斜視図である。
図２は実施例１の画像形成装置の全体説明図である。
図１、図２において、実施例１の画像形成装置Ｕは、画像読取り部としての画像入力装置ＧＨと、画像記録用作動部としての画像出力装置ＧＤと、前記画像出力装置ＧＤに設けられた画像処理装置ＧＳとを備えた画像形成装置本体Ｕ１を有している。画像形成装置本体Ｕ１の画像入力装置ＧＨの上面の透明な原稿台ＰＧ上には、画像入力装置ＧＨに原稿Ｇｉを搬送する自動原稿搬送装置Ｕ２が配置されている。前記画像入力装置ＧＨと画像出力装置ＧＤとの間には、媒体排出部の一例としての媒体排出トレイＴＲｈが設けられている。そして、前記画像形成装置本体Ｕ１には、記録媒体Ｓを収容する複数の媒体収容部の一例としての給紙トレイＴＲ１〜ＴＲ４が着脱可能に装着されている。
【００１９】
図１において、前記画像形成装置本体Ｕ１の上部前面には着脱体の一例としてのトナーカートリッジ交換時に開閉される開閉扉Ｕ１ａが支持されている。開閉扉Ｕ１ａには図示しない開閉検出部材が設けられており、前記開閉扉Ｕ１ａの開閉が検出される。
なお、前記開閉検出部材は、いわゆるインターロックスイッチにより構成することが可能である。
【００２０】
図１、図２において、前記自動原稿搬送装置Ｕ２は、複写しようとする複数の原稿Ｇiが重ねて載置される原稿収容部の一例としての原稿給紙トレイＴＧ1と、原稿給紙トレイＴＧ1から前記原稿台ＰＧ上の原稿読取位置Ｐ１を通過して搬送される原稿Ｇiが排出される原稿排出部の一例としての原稿排紙トレイＴＧ２とを有している。
前記画像形成装置本体Ｕ１は、利用者が複写開始等の作動指令信号を入力操作する操作部ＵＩと、露光光学系Ａ等を有している。
【００２１】
前記自動原稿搬送装置Ｕ２により原稿台ＰＧ上の原稿読取位置Ｐ１に搬送される原稿又は手動で原稿台ＰＧ上に置かれた原稿（図示せず）からの反射光は、前記露光光学系Ａを介して、固体撮像素子ＣＣＤでＲ（赤）、Ｇ（緑）、Ｂ（青）の電気信号に変換される。
画像処理部ＧＳは、固体撮像素子ＣＣＤから入力される前記ＲＧＢの電気信号をＫ（黒）、Ｙ（イエロー）、Ｍ（マゼンタ）、Ｃ（シアン）の画像情報に変換して一時的に記憶し、前記画像を所定のタイミングで潜像形成用の画像情報として潜像形成駆動回路ＤＬに出力する。
なお、原稿画像がモノクロの場合は、Ｋ（黒）のみの画像情報が潜像形成駆動回路ＤＬに入力される。
前記潜像形成駆動回路ＤＬは、各色Ｙ，Ｍ，Ｃ，Ｋの各潜像形成装置駆動回路（図示せず）を有し、入力された画像情報に応じた潜像形成装置駆動信号を所定のタイミングで、潜像形成装置ＳＫＳの各色の潜像書込用潜像形成光照射素子（図示せず）に出力する。
【００２２】
前記潜像形成装置ＳＫＳの上方に配置された可視像形成装置Ｕｙ，Ｕｍ，Ｕｃ，Ｕｋはそれぞれ、Ｙ（イエロー）、Ｍ（マゼンタ）、Ｃ（シアン）、およびＫ（黒）の各色の可視像を形成する装置である。
潜像形成装置ＳＫＳの前記図示しない各潜像形成光照射素子から出射したＹ，Ｍ，Ｃ，Ｋの潜像形成光Ｌｙ，Ｌｍ，Ｌｃ，Ｌｋは、それぞれ、回転する像保持体の一例としての感光体ＰＲｙ，ＰＲｍ，ＰＲｃ，ＰＲｋに入射する。
前記Ｙ（イエロー）の可視像形成装置Ｕｙは、回転する感光体ＰＲｙ、帯電器の一例としての帯電ロールＣＲｙ，現像装置Ｇｙ、一次転写部材の一例としての１次転写ロールＴ１ｙ、像保持体清掃器の一例としての感光体クリーナＣＬｙを有しており、前記可視像形成装置Ｕｍ，Ｕｃ，Ｕｋはいずれも前記Ｙ（イエロー）の可視像形成装置Ｕｙと同様に構成されている。
【００２３】
前記各感光体ＰＲｙ，ＰＲｍ，ＰＲｃ，ＰＲｋはそれぞれの帯電ロールＣＲｙ，ＣＲｍ，ＣＲｃ，ＣＲｋにより一様に帯電された後、潜像書込位置Ｑ１ｙ，Ｑ１ｍ，Ｑ１ｃ，Ｑ１ｋにおいて、前記潜像形成光Ｌｙ，Ｌｍ，Ｌｃ，Ｌｋにより、その表面に静電潜像が形成される。前記感光体ＰＲｙ，ＰＲｍ，ＰＲｃ，ＰＲｋ表面の静電潜像は、現像領域Ｑ２ｙ，Ｑ２ｍ，Ｑ２ｃ，Ｑ２ｋにおいて現像装置Ｇｙ，Ｇｍ，Ｇｃ，Ｇｋにより可視像に現像される。
その現像された可視像は、中間転写体の一例としての中間転写ベルトＢに接触する１次転写領域Ｑ３ｙ，Ｑ３ｍ，Ｑ３ｃ，Ｑ３ｋに搬送される。前記１次転写領域Ｑ３ｙ，Ｑ３ｍ，Ｑ３ｃ，Ｑ３ｋにおいて中間転写ベルトＢの裏面側に配置された１次転写ロールＴ1ｙ，Ｔ1ｍ，Ｔ1ｃ，Ｔ1ｋには、制御部Ｃにより制御される電源回路Ｅから所定のタイミングで現像剤の帯電極性と逆極性の１次転写電圧が印加される。
前記各感光体ＰＲｙ〜ＰＲｋ上の可視像は前記１次転写ロールＴ1ｙ，Ｔ1ｍ，Ｔ1ｃ，Ｔ1ｋにより中間転写ベルトＢに１次転写される。１次転写後の感光体ＰＲｙ，ＰＲｍ，ＰＲｃ，ＰＲｋ表面の残留現像材は、感光体クリーナＣＬｙ，ＣＬｍ，ＣＬｃ，ＣＬｋにより清掃される。
【００２４】
前記感光体ＰＲｙ〜ＰＲｋの上方には、上下移動可能且つ前方に引き出し可能な帯状部材回転支持体の一例としてベルトモジュールＢＭが配置されている。前記ベルトモジュールＢＭは、前記中間転写ベルトＢと、張力作用部材の一例としてのテンションロールＲｔ、蛇行低減部材の一例としてのウォーキングロールＲｗ、従動部材の一例としてのアイドラロールＲｆおよび二次転写対向部材の一例としてのバックアップロールＴ２aを含む中間転写体回転支持部材Ｒｔ＋Ｒｗ＋Ｒｆ＋Ｔ２ａと、前記１次転写ロールＴ1ｙ，Ｔ1ｍ，Ｔ1ｃ，Ｔ1ｋと中間転写体清掃器の一例としての中間転写体クリーナＣＬｂとを有している。そして、前記中間転写ベルトＢは前記中間転写支持部材Ｒｔ＋Ｒｗ＋Ｒｆ＋Ｔ２aにより回転移動可能に支持されている。
【００２５】
前記バックアップロールＴ２ａに接する中間転写ベルトＢの表面に対向して二次転写部材の一例としての２次転写ロールＴ２ｂが配置されており、前記各ロールＴ２ａ，Ｔ２ｂにより２次転写器Ｔ２が構成されている。また、２次転写ロールＴ２ｂ及び中間転写ベルトＢの対向する領域には２次転写領域Ｑ４が形成される。
前記１次転写領域Ｑ３ｙ，Ｑ３ｍ，Ｑ３ｃ，Ｑ３ｋで１次転写ロールＴ1ｙ，Ｔ1ｍ，Ｔ1ｃ，Ｔ1ｋにより中間転写ベルトＢ上に順次重ねて転写された可視像は、前記２次転写領域Ｑ４に搬送される。
【００２６】
前記潜像形成装置ＳＫＳの下方には、給紙トレイＴＲ１〜ＴＲ４を前後方向に出入可能に支持する左右一対の案内軌条ＧＲ、ＧＲが４段設けられている。給紙トレイＴＲ１〜ＴＲ４の記録媒体Ｓは、媒体取り出し部材の一例としてのピックアップロールＲｐにより取り出され、媒体捌き部材の一例としての捌きロールＲｓにより１枚ずつ分離されてから複数の媒体搬送部材の一例としての媒体搬送ロールＲａにより媒体給紙時期調整部材の一例としてのレジロールＲｒに送られる。前記搬送ロールＲａは媒体案内部材により形成された媒体搬送路ＳＨに沿って複数設けられており、２次転写領域Ｑ４の媒体搬送方向上流側にはレジロールＲｒが配置されている。前記媒体搬送路ＳＨ、媒体搬送ロールＲａ、レジロールＲｒ等により媒体搬送装置ＳＨ＋Ｒａ＋Ｒｒが構成されている。
【００２７】
レジロールＲｒは、前記中間転写ベルトＢに形成された可視像が２次転写領域Ｑ４に搬送されるのにタイミングを合わせて、前記記録媒体Ｓを２次転写領域Ｑ４に搬送する。記録媒体Ｓが前記２次転写領域Ｑ４を通過する際、前記バックアップロールＴ２ａは接地され、２次転写ロールＴ２ｂには前記制御部Ｃにより制御される電源回路Ｅから所定のタイミングで現像剤の帯電極性と逆極性の２次転写電圧が印加される。このとき、前記中間転写ベルトＢ上の可視像は、前記２次転写器Ｔ２により前記記録媒体Ｓに転写される。
２次転写後の前記中間転写ベルトＢは、ベルトクリーナＣＬｂにより清掃される。
【００２８】
前記可視像が２次転写された記録媒体Ｓは、定着装置Ｆの加熱回転部材の一例としての加熱ロールＦｈ及び加圧回転部材の一例としての加圧ロールＦｐの圧接領域である定着領域Ｑ５に搬送され、前記定着領域Ｑ５を通過する際に加熱定着された後、媒体排出部材の一例としての排出ローラＲｈから媒体排出部の一例としての排紙トレイＴＲｈに出される。
なお、前記加熱ロールＦｈ表面には、記録媒体Ｓの前記加熱ロールＦｈからの離型性を良くするための離型剤が離型剤塗布装置Ｆａにより塗布されている。
【００２９】
図２において、前記画像形成装置Ｕは上側枠体ＵＦと下側枠体ＬＦとを有しており、上側枠体ＵＦには、前記潜像形成装置ＳＫＳ及び潜像形成装置ＳＫＳよりも上方に配置された部材（感光体ＰＲｙ，ＰＲｍ，ＰＲｃ，ＰＲｋ、現像装置Ｇｙ，Ｇｍ，Ｇｃ，Ｇｋ、ベルトモジュールＢＭ等）が支持されている。
また、下側枠体ＬＦには、前記給紙トレイＴＲ１〜ＴＲ４を支持する案内軌条ＧＲ及び前記各給紙トレイＴＲ１〜ＴＲ４から給紙を行う前記給紙部材（ピックアップロールＲｐ，捌きロールＲｓ，媒体搬送ロールＲａ等）が支持されている。
【００３０】
（現像剤補給装置）
図３は実施例１の現像剤補給装置の要部断面説明図である。
図２において、前記ベルトモジュールＢＭの上方にはＹ（イエロー），Ｍ（マゼンタ），Ｃ（シアン），Ｋ（黒）の各色毎に現像剤補給装置Ｈｙ，Ｈｍ，Ｈｃ，Ｈｋが配置されている。
図３において、各色の現像剤補給装置Ｈｙ〜Ｈｋは、内部に現像剤を収容するトナーカートリッジＫｙ，Ｋｍ，Ｋｃ，Ｋｋと、前記トナーカートリッジＫｙ〜Ｋｋが装着される補給装置本体１ｙ，１ｍ，１ｃ，１ｋと、前記各色の現像装置Ｇｙ〜Ｇｋと補給装置本体１ｙ〜１ｋとを接続する現像剤搬送路２ｙ，２ｍ，２ｃ，２ｋと、前記現像剤搬送路２ｙ〜２ｋ内部に配置され補給装置本体１ｙ〜１ｋの現像剤を現像装置Ｇｙ〜Ｇｋに搬送する現像剤搬送部材３ｙ〜３ｋとを有する。
【００３１】
（現像剤補給装置の説明）
図４は実施例１の現像剤補給装置の斜視図である。
図５は実施例１の現像剤補給装置の斜視図であり、Ｙ(イエロー)色のトナーカートリッジが離脱した状態を示す図である。
図６は着脱体規制部材の説明であって、図６Ａは着脱体規制部材が規制位置に移動した状態の説明図、図６Ｂは着脱体規制部材が許可位置に移動した状態の説明図である。
【００３２】
図４、図５において、各色の補給装置本体１ｙ〜１ｋは、トナーカートリッジ装着時にトナーカートリッジＫｙの前端部（挿入方向後端部）を支持するカートリッジ前端支持部材１１ｙと、装着されたトナーカートリッジＫｙの本体を支持するカートリッジ本体支持部材１２ｙ（図５参照）とを有する。図３〜図５において、前記カートリッジ前端支持部材１１ｙ〜１１ｋは、補給装置支持フレームＵ３に一体的に固定支持され、カートリッジ本体支持部材１２ｙ〜１２ｋは画像形成装置本体Ｕ２に固定支持されている。
そして、Ｋ（黒）色用の補給装置本体１ｋは、現像剤の使用頻度の高いＫ（黒）のトナーカートリッジＫｋを２つ装着可能に構成されており、その他のＹ（イエロー），Ｍ（マゼンタ），Ｃ（シアン）の補給装置本体１ｙ，１ｍ，１ｃは、トナーカートリッジＫｙ，Ｋｍ，Ｋｃを１つずつ装着可能に構成されている。なお、前記カートリッジ前端支持部材１１ｙ〜１１ｋおよびそれらに支持された部材については、カートリッジ前端支持部材１１ｙ〜１１ｋに、色毎に異なる形状の誤装着防止部が形成されていないという点以外は、従来公知（例えば、特開２００５−１３４４５２号公報等参照）の構成と同様の構成が採用されているため、詳細な説明は省略する。
【００３３】
次に、補給装置本体１ｙ〜１ｋの各部材の詳細な説明を行うが、Ｙ（イエロー），Ｍ（マゼンタ），Ｃ（シアン）色の補給装置本体１ｙ、１ｍ、１ｃは同様に構成され、Ｋ（黒）色の補給装置本体１ｋは２つのトナーカートリッジＫｋを装着可能にするためにＹ（イエロー）色の補給装置本体１ｙと同様の補給装置本体が２つ連結された構成をしているだけなので、Ｙ（イエロー）色の補給装置本体１ｙについて符号の最後にｙを付して詳細に説明し、その他の色の補給装置本体１ｍ〜１ｋについての詳細な説明は省略する。
【００３４】
図５において、前記カートリッジ本体支持部材１２ｙは、装着・離脱するトナーカートリッジＫｙを案内するための案内部材１３ｙと、装着されたトナーカートリッジＫｙに駆動力を伝達する着脱体用駆動機構の一例としてのカートリッジモータボックスＭＢ１ｙを有する。また、前記カートリッジ本体支持部１２ｙの後側左方には長方形状の規制部材通過孔１２ａｙが形成され、中央部右方には着脱体情報読取部材の一例としての無線情報読書装置ＣＲＷが配置されている。
無線情報読書装置ＣＲＷは、前方に設定された挿入時読取位置まで延びる読取部の一例としてのアンテナ部ＣＲＷ１と、後方に設定された装着時読取位置に配置された読書装置本体ＣＲＷ２とを有する。
【００３５】
図５、図６において、長方形状の規制部材通過孔１２ａｙの下方には、着脱体規制装置ＫＳが配置されている。前記着脱体規制装置ＫＳは、許可位置移動部材の一例としてのソレノイドＳＯＬの可動部ＳＯＬ１の先端部に固定支持された着脱体規制部材ＫＳ１と、前記可動部ＳＯＬ１に装着されて着脱体規制部材ＫＳ１を常時上方に付勢する規制位置移動部材の一例としてのコイルバネＫＳ２とを有する。
前記着脱体規制部材ＫＳ１は、規制部材通過孔１２ａｙを貫通可能に支持されている。着脱体規制部材ＫＳ１はソレノイドＳＯＬの非通電時はコイルバネＫＳ２により、図６Ａに示すように、規制部材通過孔１２ａｙから上方に突出した規制位置に保持される。
ソレノイドＳＯＬの通電時はコイルバネＫＳ２のバネ力に抗して、可動部ＳＯＬ１が下降し、図６Ｂに示すように、前記着脱体規制部材ＫＳ１が規制部材通過孔１２ａｙより下方に収容された許可位置に移動する。
【００３６】
前記カートリッジモータボックスＭＢ１ｙは駆動力伝達用歯車１４ｙを有しており、トナーカートリッジＫｙ装着時にトナーカートリッジ後端（挿入方向前端）の歯車（後述）と噛合って回転駆動力を伝達する。
【００３７】
（トナーカートリッジの説明）
次にトナーカートリッジの説明を行うが、Ｙ，Ｍ，Ｃ，Ｋの各色のトナーカートリッジＫｙ〜Ｋｋは同様に構成されているので、Ｙについてのみ符号の最後にｙを付して詳細に説明し、その他の色のトナーカートリッジＫｍ〜Ｋｋの詳細な説明は省略する。
【００３８】
図７はトナーカートリッジの斜視説明図である。
図８はトナーカートリッジの蓋を外した状態の平面図である。
図９は現像容器開閉部材及び取手部材が取り外された状態の現像容器の説明図であり、図９Ａはカートリッジ本体の下面図、図９Ｂは図９ＡにおけるＩＸＢ−ＩＸＢ線断面図、図９Ｃは図９ＡにおけるＩＸＣ−ＩＸＣ線断面図、図９Ｄは図９ＡにおけるＩＸＤ−ＩＸＤ線断面図である。
【００３９】
図５、図７において、ＹのトナーカートリッジＫｙは、Ｙ色の現像剤を収容する現像容器１１１ｙと、前記現像容器１１１ｙ上面を被覆する現像容器蓋１１２ｙと、前記現像容器１１１ｙの前方に装着された取手部材１１３ｙとを有する。前記取手部材１１３ｙは、トナーカートリッジＫｙを取扱う際に、利用者が手でトナーカートリッジＫｙを保持するための取手部１１４ｙと、補給口形成部材本体３２ｙ（図５参照）にトナーカートリッジＫｙが装着された時に補給口形成部材本体３２ｙの前端面に当接して、利用者がトナーカートリッジＫｙを挿入し過ぎることを防止する過挿入防止部１１６ｙとを有する。
【００４０】
図３、図８、図９Ｂ〜図９Ｄにおいて、前記現像容器１１１ｙは、右側の第１収容部１２１ｙと、左側の第２収容部１２２ｙとを有し、前記第１収容部１２１ｙの前端部には、現像剤を排出して現像剤貯蔵容器１６ｙ（図３参照）に供給する現像剤排出口１２３ｙが形成されている。
【００４１】
図８において、前記第１収容部１２１ｙには、第１収容部１２１ｙ内の現像剤を前記現像剤排出口１２３ｙに搬送する螺旋状回転搬送部材１２４ｙが配置されている。また、前記第２収容部１２２ｙには、第２収容部１２２ｙ内の現像剤を第１収容部１２１ｙ側に搬送する周方向搬送部材１２６ｙが配置されている。前記周方向搬送部材１２６ｙは、回転軸に固定支持された膜状体支持板状体１２７ｙと前記膜状体支持板状体１２７ｙに固着された現像剤搬送膜状体１２８ｙとを有している。前記現像剤搬送膜状体１２８ｙは弾性変形可能に構成されており、第２収容部１２２ｙ内の現像剤をすくい上げて第１収容部１２１ｙへ搬送する。
【００４２】
前記螺旋状回転搬送部材１２４ｙの後端（−Ｘ端、カートリッジ挿入方向前端）は、現像容器１１１ｙ後端壁に回転可能に支持された螺旋状回転搬送部材支持部材１３１ｙによって固定支持されている。また、前記周方向搬送部材１２６ｙの後端は、回転可能な周方向搬送部材支持部材１３２ｙにより固定支持されている。そして、前記螺旋状回転搬送部材支持部材１３１ｙ及び周方向搬送部材支持部材１３２ｙの後端にはそれぞれ歯車Ｇ１１，Ｇ１２（図８参照）が固着されている。前記歯車Ｇ１１，Ｇ１２は、トナーカートリッジＫｙが現像剤補給装置１ｙに装着された時に、前記駆動力伝達用歯車１４ｙにそれぞれ噛合う。したがって、前記カートリッジモータボックスＭＢ１ｙから伝達される回転駆動力により、前記螺旋状回転搬送部材１２４ｙ及び周方向搬送部材１２６ｙが回転駆動し現像剤が現像剤排出口１２３ｙに搬送される。
【００４３】
図９Ａにおいて、前記現像容器１１１ｙの前端には、前記取手部材１１３ｙを装着するための取手部材装着部１３５ｙが形成されている。
図９Ａにおいて、前記現像容器１１１ｙの後端部の底壁には、被案内部材１３６ｙが配置されており、トナーカートリッジＫｙが補給装置本体１ｙに装着される時に、カートリッジ本体支持部材１２ｙの案内部１３ｙと係合して案内されながらトナーカートリッジＫｙが挿入されていく。
【００４４】
前記現像容器１１１ｙの中央部右側の底壁には着脱体情報記憶部材ＪＫＢが設置されている。前記着脱体情報記憶部材ＪＫＢはトナーカートリッジＫｙが離脱位置から装着位置に移動する際に、着脱体規制部材ＫＳに規制される前に前記無線情報読書き装置ＣＲＷのアンテナ部ＣＲＷ１と近接し、装着位置に移動した状態では読書装置本体ＣＲＷ２と近接するように設置されている。
【００４５】
図７、図９Ａ、図９Ｃにおいて、現像容器１１１ｙの前端部には、前記現像剤排出口１２３ｙが形成された排出口形成部材１３８ｙが下方に突出して形成されている。前記排出口形成部材１３８ｙの下端には、開閉部材支持部材１３８ａｙ、１３８ａｙ（図９Ｃ、図９Ｄ参照）が形成され、現像容器開閉部材１４１ｙ（図７参照）を滑り移動可能に支持する。
【００４６】
図１０は実施例１の画像形成装置の制御部分が備えている各機能をブロック図で示した図である。
図１０において、制御部Ｃは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行う中央演算処理装置、ならびにクロック発振器等を有する計算機により構成されており、前記ＲＯＭに記憶されたプログラムを実行することにより種々の機能を実現することができる。
【００４７】
（前記制御部Ｃに接続された信号出力要素）
前記制御部Ｃは、操作部ＵＩ、開閉扉状態検出部材ＳＮａ、無線情報読書装置ＣＲＷの外、その他の信号出力要素からの出力信号が入力されている。
前記操作部ＵＩは、電源スイッチＵＩ１、表示部ＵＩ２、矢印釦ＵＩ３、複写開始釦ＵＩ４等を備えている。
前記開閉扉状態検出部材ＳＮａは、開閉扉Ｕ１ａが開放されているか閉じられているかを検知する。
前記無線情報読書装置ＣＲＷは、着脱体情報記憶部材ＪＫＢから、内蔵されている現像剤の色の情報等の着脱体に関する情報を読み取ったり、現像剤が空になった場合に空である情報を書き込んだりする。
【００４８】
（前記制御部Ｃに接続された制御要素）
前記制御部Ｃは、主要駆動源駆動回路Ｄ1、ソレノイド駆動回路Ｄ２、現像剤搬送用駆動源駆動回路Ｄ３、電源回路Ｅ、無線情報読書装置ＣＲＷ、その他の制御要素に接続されており、それらの作動制御信号を出力している。
前記主駆動源駆動回路Ｄ１は主駆動源Ｍ１を回転駆動し、前記主駆動源Ｍ１により、感光体ＰＲｙ〜ＰＲｋ、現像装置Ｇｙ〜Ｇｋ、定着装置Ｆ等が駆動される。
前記ソレノイド駆動回路Ｄ２は、電流をソレノイドＳＯＬに流しコイルバネＫＳ２のバネ力に抗して、可動部ＳＯＬ１を下降させることで、着脱体規制部材ＫＳ１を下降させる。
前記現像剤搬送用駆動源駆動回路Ｄ３は現像剤搬送用駆動源Ｍ２を駆動することにより、カートリッジモータボックスＭＢ１ｙ〜ＭＢ１ｋを駆動させる。
【００４９】
前記電源回路Ｅは、現像用電源回路Ｅａ、帯電用電源回路Ｅｂ、転写用電源回路Ｅｃ、定着用電源回路Ｅｄを有している。
前記現像用電源回路Ｅａは、現像装置Ｇｙ〜Ｇｋへ現像用電圧を印加する。
前記帯電用電源回路Ｅｂは、帯電ロールＣＲｙ〜ＣＲｋそれぞれに感光体ＰＲｙ〜ＰＲｋ表面を帯電させるための帯電電圧を印加する。
前記転写用電源回路Ｅｃは、１次転写ロールＴ１ｋ〜Ｔ１ｙや２次転写ロールＴ２ｂに転写用電圧を印加する。
前記定着用電源回路Ｅｄは、定着装置Ｆの加熱ロールＦｈに加熱器加熱用の電源を供給する。
【００５０】
（制御部Ｃの機能）
前記制御部Ｃは、信号出力要素からの入力信号に応じた処理を実行して、各制御要素に制御信号を出力する機能を有している。すなわち、制御部Ｃは次の機能を有している。
Ｃ１：ジョブ制御手段
画像形成動作制御手段の一例としてのジョブ制御手段Ｃ１は、複写開始釦ＵＩ４の入力に応じて、画像形成装置Ｕの各部材の駆動や各電圧の印加タイミング等を制御して、画像形成動作の一例としてのジョブを実行する。
【００５１】
Ｃ２：主駆動源制御手段
主駆動源制御手段Ｃ２は、主駆動源駆動回路Ｄ１を介して主駆動源Ｍ１の駆動を制御し、感光体ＰＲｙ〜ＰＲｋ等の駆動を制御する。
Ｃ３：電源回路制御手段
電源回路制御手段Ｃ３は、現像用電源回路制御手段Ｃ３Ａと、帯電用電源回路制御手段Ｃ３Ｂと、転写用電源回路制御手段Ｃ３Ｃと、定着用電源回路制御手段Ｃ３Ｄとを有し、電源回路Ｅの作動を制御して、各部材への電圧印加や電源供給を制御する。
【００５２】
Ｃ３Ａ：現像用電源回路制御手段
現像用電源回路制御手段Ｃ３Ａは、現像用電源回路Ｅａを制御して現像装置Ｇｙ〜Ｇｋに印加する現像電圧を制御する。
Ｃ３Ｂ：帯電用電源回路制御手段
帯電用電源回路制御手段Ｃ３Ｂは、帯電用電源回路Ｅｂを制御して、帯電ロールＣＲｙ〜ＣＲｋに印加する帯電電圧を制御する。
Ｃ３Ｃ：転写用電源回路制御手段
転写用電源回路制御手段Ｃ３Ｃは、転写用電源回路Ｅｃを制御して、１次転写ロールＴ１ｙ〜Ｔ１ｋに印加する１次転写電圧や、２次転写ロールＴ２ｂに印加する２次転写電圧を制御する。
Ｃ３Ｄ：定着用電源回路制御手段
定着用電源回路制御手段Ｃ３Ｄは、定着用電源回路Ｅｄを制御して、定着装置Ｆの加熱ロールＦｈの加熱器の温度制御、すなわち、定着温度の制御を行う。
【００５３】
Ｃ４：扉開閉状態判別手段
扉開閉状態判別手段Ｃ４は、前記開閉扉状態検出部材ＳＮａの検出信号に基づいて、開閉扉Ｕ１ａが開放されているか閉じられているかを判別する。
Ｃ５：無線情報読書装置制御手段
無線情報読書装置制御手段Ｃ５は、無線情報読書装置ＣＲＷを制御して、着脱体情報記憶部材ＪＫＢからの情報の読み取りや、着脱体情報記憶部材ＪＫＢへの情報（例えば現像剤が空という情報）の書き込みを行う。
【００５４】
Ｃ６：規制部材制御手段
規制部材制御手段Ｃ６は、トナーカートリッジＫｙ〜Ｋｋが誤装着されていないと判別された場合に、着脱体規制部材ＫＳ１を許可位置に移動させる。実施例１の規制部材制御手段Ｃ６は着脱体情報読取判別手段Ｃ６Ａと誤装着判別手段Ｃ６Ｂとを有し、ソレノイド駆動回路Ｄ２を介してソレノイドＳＯＬの駆動を制御して、着脱体規制部材ＫＳ１の許可位置と、規制位置との間の移動を制御する。
【００５５】
Ｃ６Ａ：着脱体情報読取判別手段
着脱体情報読取判別手段Ｃ６Ａは、前記無線情報読書装置ＣＲＷから入力される信号に基づいて、トナーカートリッジＫｙ〜Ｋｋが挿入されたか否か、すなわち着脱体情報記憶部材ＪＫＢからの情報を受信したか否かを判別する。
【００５６】
Ｃ６Ｂ：誤装着判別手段
誤装着判別手段Ｃ６Ｂは、無線情報読書装置ＣＲＷで読取った着脱体情報に基づいて、トナーカートリッジＫｙ〜Ｋｋが誤装着されていないか否かを判別する。実施例１の誤装着判別手段Ｃ６Ｂは、前記無線情報読書装置ＣＲＷから入力される信号に基づいて、挿入されているトナーカートリッジＫｙ〜Ｋｋに収容されている現像剤の色と、前記トナーカートリッジＫｙ〜Ｋｋが挿入されている補給装置本体１ｙ〜１ｋが画像形成装置Ｕに補給していた色とが一致しているか否かを判別することで、誤装着を判別する。
【００５７】
Ｃ７：現像剤搬送用駆動源制御手段
現像剤搬送用駆動源制御手段Ｃ７は、現像剤搬送用駆動源駆動回路Ｄ３を介して現像剤搬送用駆動源Ｍ２の駆動を制御し、カートリッジモータボックスＭＢ１ｙ〜ＭＢ１ｋにより駆動が伝達されるトナーカートリッジＫｙ〜Ｋｋ内の螺旋状回転搬送部材１２４ｙ〜１２４ｋや周方向搬送部材１２６ｙ〜１２６ｋの駆動を制御し現像剤の補給を行う。
【００５８】
(実施例１のフローチャートの説明)
図１１は実施例１の規制部材制御手段の制御処理のフローチャートの説明図である。
図１１のフローチャートの各ステップＳＴの処理は、前記画像形成装置Ｕの制御部Ｃに記憶されたプログラムに従って行われる。また、この処理は画像形成装置Ｕの他の各種処理と並行して並列処理で実行される。
図１１に示すフローチャートは画像形成装置Ｕの電源投入により開始される。なお、このときソレノイドＳＯＬはオフになっており、着脱体規制部材ＫＳ１はコイルバネＫＳ２により規制位置に保持されている。
【００５９】
図１１のＳＴ１において、開閉扉Ｕ１ａは開放されているか否かを判別する。イエス（Ｙ）の場合はＳＴ２に移り、ノー（Ｎ）の場合はＳＴ１を繰り返す。
ＳＴ２において、着脱体情報記憶部材ＪＫＢから着脱体情報を読み取ることができたか否か判別する。イエス（Ｙ）の場合はＳＴ３に移り、ノー（Ｎ）の場合はＳＴ５に移る。
ＳＴ３において、前記着脱体情報に基づいて、挿入されているトナーカートリッジＫｙ〜Ｋｋに収容されている現像剤の色と、前記トナーカートリッジＫｙ〜Ｋｋが挿入されている補給装置本体１ｙ〜１ｋが画像形成装置Ｕに補給していた色とが一致しているか否かを判別する。イエス（Ｙ）の場合はＳＴ４に移り、ノー（Ｎ）の場合はＳＴ５に移る。
【００６０】
ＳＴ４において、ソレノイド駆動回路Ｄ２を介してソレノイドＳＯＬに通電して駆動させ、規制位置に保持されていた着脱体規制部材ＫＳ１を許可位置まで移動させた後、所定時間経過後ソレノイドＳＯＬへの通電を停止して、着脱体規制部材ＫＳ１を規制位置に戻す。その後ＳＴ５に移る。
ＳＴ５において、開閉扉Ｕ１ａは閉まっているか否か判別する。イエス（Ｙ）の場合はＳＴ１に戻り、ノー（Ｎ）の場合はＳＴ２に移る。なお、開閉扉Ｕ１ａが閉められると、一連のトナーカートリッジＫｙ〜Ｋｋの装着作業は完了し、ＳＴ１に戻って次のトナーカートリッジＫｙ〜Ｋｋの交換作業の開始に備える。
【００６１】
（実施例１の作用）
前記構成を備えた実施例１の画像形成装置Ｕでは、トナーカートリッジＫｙ〜Ｋｋを交換する場合に開閉扉Ｕ１ａを開放させる。画像形成装置の電源がオンの状態で、開閉扉Ｕ１ａが開放されると、扉状態検出部材ＳＮａによって開閉扉Ｕ１ａが開放されていることが検出される。
補給装置本体１ｙ〜１ｋに装着されたトナーカートリッジＫｙ〜Ｋｋが図４に示す装着位置から引き出されると、補給容器開閉部材１４１ｙ〜１４１ｋは現像剤排出口１２３ｙ〜１２３ｋを開放する開放位置から前記現像剤排出口１２３ｙ〜１２３ｋを遮蔽する遮蔽位置まで移動する。なお、この開閉機構は従来公知（例えば、特開２００５−１３４４５２号公報等参照）であるので、その詳細な説明は省略する。
【００６２】
トナーカートリッジＫｙ〜Ｋｋが補給装置本体１ｙ〜１ｋから引き出される際、コイルバネＫＳ２により規制位置方向へ付勢されている着脱体規制部材ＫＳ１が前記トナーカートリッジＫｙ〜Ｋｋの底面部分に接触した状態で、前記トナーカートリッジＫｙ〜Ｋｋが引き出される。その後、前記トナーカートリッジＫｙ〜Ｋｋの後端部が誤装着規制位置となる規制部材通過孔１２ａｙ〜１２ａｋより前方に移動すると、前記着脱体規制部材ＫＳ１は、コイルバネＫＳ２による前記着脱体規制部材ＫＳ１の上方への移動を阻止するトナーカートリッジＫｙ〜Ｋｋが存在しないため、図５のＹ色及び図６Ａに示すように規制部材通過孔１２ａｙ〜１２ａｋから上方に突出した規制位置に移動する。
トナーカートリッジＫｙ〜Ｋｋが画像形成装置本体Ｕ１から離脱した離脱位置まで引き出されると、図５に示す状態となり、トナーカートリッジＫｙ〜Ｋｋの取り外しが完了する。
【００６３】
前記画像形成装置Ｕの電源がオフの状態でトナーカートリッジＫｙ〜Ｋｋを取り出す場合、扉状態検出部材ＳＮａは作動していないため、開閉扉Ｕ１ａの開閉状態は検出されないが、トナーカートリッジＫｙ〜Ｋｋを装着位置から誤装着規制位置まで引き出すと、画像形成装置Ｕの電源がオンの状態の場合と同様に着脱体規制部材ＫＳ１はコイルバネＫＳ２により規制位置に移動し、トナーカートリッジＫｙ〜Ｋｋを離脱位置まで移動させることでトナーカートリッジＫｙ〜Ｋｋの取り外しは完了する。
【００６４】
前記画像形成装置Ｕの電源がオンの状態において、トナーカートリッジＫｙ〜Ｋｋが装着されていない補給装置本体１ｙ〜１ｋにトナーカートリッジＫｙ〜Ｋｋを装着する場合、トナーカートリッジＫｙ〜Ｋｋを離脱位置から装着位置に向けて挿入すると、まず着脱体情報記憶部材ＪＫＢと無線情報読書装置ＣＲＷのアンテナ部ＣＲＷ１が近接して、着脱体情報記憶部材ＪＫＢの情報が読み取られる。
読み取られた情報に基づいてトナーカートリッジＫｙ〜Ｋｋに収容されている現像剤の色と補給装置本体１ｙ〜１ｋの色とが一致している場合、ソレノイドＳＯＬが駆動され着脱体規制部材ＫＳ１はコイルバネＫＳ２のバネ力に抗して、規制位置から許可位置に移動する。
【００６５】
前記着脱体規制部材ＫＳ１が許可位置に移動した状態では、トナーカートリッジＫｙ〜Ｋｋの挿入動作が妨げられず、装着位置までの挿入が可能となる。トナーカートリッジＫｙ〜Ｋｋが装着位置まで挿入されると、補給容器開閉部材１４１ｙ〜１４１ｋは遮蔽位置から開放位置まで移動して現像剤排出口１２３ｙ〜１２３ｋが開放されると共に、トナーカートリッジ後端の歯車Ｇ１１，Ｇ１２はカートリッジモータボックスＭＢ１ｙ〜ＭＢ１ｋの歯車１４ｙ〜１４ｋと噛合い、トナーカートリッジＫｙ〜Ｋｋの現像剤を補給装置本体１ｙ〜１ｋに搬送可能となって挿入動作が完了する。なお、トナーカートリッジＫｙ〜Ｋｋが挿入された状態で所定の時間が過ぎるとソレノイドＳＯＬの駆動は終了し、着脱体規制部材ＫＳ１はコイルバネＫＳ２の付勢力によって着脱体規制部材ＫＳ１は再び規制位置に移動しようとする。このとき着脱体規制部材ＫＳ１はコイルバネＫＳ２による付勢力によってトナーカートリッジＫｙ〜Ｋｋの底面部に接触した状態で保持される。なお、装着位置では無線情報読書装置ＣＲＷの読書装置本体ＣＲＷ２が着脱体情報記憶部材ＪＫＢに近接し、現像剤が空になった等の情報の送受信が行われる。
【００６６】
前記画像形成装置Ｕの電源がオンの状態で、読み取られた情報に基づいてトナーカートリッジＫｙ〜Ｋｋに収容されている現像剤の色と補給装置本体１ｙ〜１ｋの色とが一致しない場合、ソレノイドＳＯＬは駆動されず着脱体規制部材ＫＳ１はコイルバネＫＳ２の付勢力によって、規制部材通過孔１２ａｙから上方に突出した規制位置に保持される。この状態でトナーカートリッジＫｙ〜Ｋｋを挿入しトナーカートリッジＫｙ〜Ｋｋの後端部が誤装着規制位置まで達すると、規制位置にある着脱体規制部材ＫＳ１に接触して、それ以上の挿入が妨げられる。従って、トナーカートリッジＫｙ〜Ｋｋの開閉部材１２１ｙ〜１２１ｋも開放されず、誤った色の現像剤が収容されているトナーカートリッジＫｙ〜Ｋｋが装着されることが防止される。
【００６７】
前記画像形成装置Ｕの電源がオフの状態では、無線情報読書装置ＣＲＷが駆動せず、着脱体情報記憶部材ＪＫＢの読み取りが行われないと共に、ソレノイドＳＯＬが駆動せず着脱体規制部材ＫＳ１はコイルバネＫＳ２の付勢力によって、規制部材通過孔１２ａｙから上方に突出した規制位置に常時保持されている。この状態でトナーカートリッジＫｙ〜Ｋｋを挿入しても、トナーカートリッジＫｙ〜Ｋｋの後端部が誤装着規制位置まで達すると、規制位置にある着脱体規制部材ＫＳ１に接触して、それ以上の挿入が妨げられる。従って、トナーカートリッジＫｙ〜Ｋｋに収容されている現像剤の色の判別が行われることなくトナーカートリッジＫｙ〜Ｋｋの装着が行われることが防止される。すなわち、少なくとも誤った色の現像剤が収容されているトナーカートリッジＫｙ〜Ｋｋが装着されることが防止される。
【実施例２】
【００６８】
図１２は図３に対応する図であり、実施例２の現像剤補給装置の説明図である。
図１３は実施例２のトナーカートリッジの分解斜視図である。
図１４は実施例２の現像剤貯蔵容器及びトナーカートリッジ装着部の斜視図である。
図１５は実施例２のトナーカートリッジをトナーカートリッジ装着部に装着する状態を示す断面図である。
次に本発明の実施例２の説明をするが、この実施例２の説明において、前記実施例１の構成要素に対応する構成要素には同一の符号を付して、その詳細な説明を省略する。
この実施例は、下記の点で前記実施例１と相違しているが、他の点では前記実施例１と同様に構成される。
【００６９】
図１２において、実施例２の現像剤補給装置Ｈｙ〜Ｈｋは、トナーカートリッジＫｙ〜Ｋｋ及び補給装置本体１ｙ〜１ｋに替えて、トナーカートリッジＫｙ′〜Ｋｋ′、トナーカートリッジ装着部２０１ｙ〜２０１ｋ及び現像剤貯蔵容器の一例としてのトナーリザーブ容器２２６とを有する。
【００７０】
なお、以下の説明では４色のトナーカートリッジＫｙ′，Ｋｍ′，Ｋｃ′，Ｋｋ′は構成が同様となっているので、Ｋ（黒）のトナーカートリッジＫｋ′についてのみ説明する。
図１２、図１３および図１５において、合成樹脂材料からなる円筒容器２０６（補給容器）は、円筒壁２０７、後端壁（端壁）２０８、および前端壁（端壁）２０９、を有している。円筒壁２０７および後端壁２０８が一体的に形成されており、この後端壁２０８の中央には従動側連結部材挿入孔２０８ａおよび先端側（後端側）がやや開いた円筒状の案内部材の一例としてのガイド壁２０８ｂが設けられている。このガイド壁２０８ｂから前記円筒壁２０７に向けて複数の補強部材の一例としてのリブ２０８ｃが放射状に形成されており、後端壁２０８の外周部には２本の位置決め部材の一例としての位置決めピン２０８ｄが形成されている。
【００７１】
前記円筒壁２０７の外周面後部には、開閉部材支持部の一例としてのシャッタ支持部２０７ａが固着されており、シャッタ支持部２０７ａの軸方向両側端には、円周方向に沿う案内部材の一例としてのガイド溝２０７ｂが形成されている。前記シャッタ支持部２０７ａおよび前記円筒壁２０７には現像剤排出口２０７ｃが形成されている。
開閉部材の一例としての開閉蓋２１１が円周方向に滑り移動可能に支持されており、この開閉蓋２１１（図１５参照）によって現像剤排出口２０７ｃが開閉されるようになっている。
前記円筒壁２０７の外周面後部には、図１３に示すように差し込み方向を示す矢印２０７ｄが形成されている。円筒壁２０７の内周面前部には、図１５に示すように係止用凹部２０７ｅが形成されている。円筒壁２０７の外周面後部には、被係止用突部２０７ｆが形成されている。
前記円筒壁２０７の外周面前部には、着脱体情報記憶部材ＪＫＢが設置されている。
前記前端壁２０９は、円板２０９ａとその外周に形成された筒壁部２０９ｂとを有しており、筒壁部２０９ｂの外周面には、前記円筒壁２０７の係止用凹部２０７ｅに係止される被係止用突部２０９ｃが形成されている。前端壁２０９内面の中央部には、軸支持穴２０９ｄが形成されている。
前記円筒容器２０６は、前記符号２０７〜２０９及びＪＫＢで示された要素から構成される。
【００７２】
図１３および図１５において、回転部材（現像剤攪拌搬送部材、補給搬送部材）２１２は、回転軸２１３と前記回転軸２１３に支持された攪拌部材２１４および搬送部材２１５を有している。回転軸２１３はその中央部が円柱状で、前端部が円錐形、後端部が６角柱状となっており、この前端部には搬送部材用固定穴２１３ａが形成されている。回転軸２１３の軸方向長さの略中央には撹拌部材支持用切欠２１３ｂが形成されている。
前記攪拌部材２１４は、円形断面の線材が略Ｚ字状に折り曲げられており、攪拌部材２１４の両端部は回転軸２１３に支持された２個の環状連結部材２１４ａにそれぞれ固定されている。
前記搬送部材（現像剤搬送部材）２１５は、円形断面の線材が螺旋状に形成された螺線部２１５ａと、この螺線部２１５ａの前側端部から回転軸２１３に向かって半径方向に曲げられた基端部２１５ｂと、自由端部により構成された後端側の先端部２１５ｃとを有している。前記搬送部材２１５の基端部２１５ｂは前記回転軸２１３の搬送部材用固定穴２１３ａに差し込まれて固定されている。なお、前記搬送部材２１５の螺線部２１５ａの外径は前記円筒容器２０６の円筒壁２０７の内径よりもやや小さくなっている。
前記回転軸２１３とこの回転軸２１３に固定された攪拌部材２１４および搬送部材２１５とは一体的に連結されており、前記回転部材２１２は、前記回転軸２１３、攪拌部材２１４および搬送部材２１５により構成されている。
【００７３】
前記従動側連結部材２０８ａに収容される従動側連結部材２１６は、一体的に連結された、被駆動伝達部材支持部の一例としてのカップリング支持部２１６ａおよび円形板状の被駆動伝達部材の一例としてのカップリング２１６ｂを有している。カップリング支持部２１６ａの前端部には前記回転軸２１３後端部の６角柱状部分が嵌合する嵌合孔が形成されており、カップリング２１６ｂの後面には４個の爪が形成されている。
【００７４】
図１５に示すように、円筒壁２０７の凹部２０７ｅに前端壁２０９の突部２０９ｃが嵌合され、現像剤排出口２０７ｃが開閉蓋２１１で閉じられた円筒容器２０６において、回転部材２１２の回転軸２１３は、その後端が後端壁２０８の従動側連結部材挿入孔２０８ａに挿入された従動側連結部材２１６のカップリング支持部２１６ａの内周面の溝に支持されており、その前端が前端壁２０９の軸支持穴２０９ｄに支持されている。
前記円筒容器２０６、回転部材２１２、および従動側連結部材２１６等からトナーカートリッジＫｋ′が構成される。
【００７５】
なお、以下の説明では４色のカートリッジ装着部２０１ｋ，２０１ｙ，２０１ｍ，２０１ｃは構成が同様となっているので、Ｋ（黒）のカートリッジ装着部２０１ｋについてのみ説明する。
図１２、図１４および図１５において、カートリッジ装着部２０１ｋは、前部に半円筒状の切欠を有する円筒状の差し込み部２２１と円形板状の端部２２２とを有している。カートリッジ装着部２０１ｋの弧状底面の後部には、長方形の現像剤受け入れ孔２２１ａが形成されており、案内溝２２１ｂが前端から後方の現像剤受け入れ孔２２１ａまで延びて形成されている。カートリッジ装着部２０１ｋの案内溝２２１ｂは浅溝２２１ｃと深溝２２１ｄとの２段に形成されており、これらの浅溝２２１ｃと深溝２２１ｄとは、トナーカートリッジＫｋ′のシャッタ支持部２０７ａと開閉蓋２１１とをそれぞれ案内するようになっている。現像剤受け入れ孔２２１ａの外周部には前記浅溝２２１ｃと同じ深さの案内部材の一例としてのガイド面２２１ｅが形成されている。カートリッジ装着部２０１ｋの円筒左側側面部には長方形状の規制部材通過孔２２１ｆが形成され、弧状底面の前部には無線情報読書装置ＣＲＷが配置されている。前記無線情報読書装置ＣＲＷにおいて、読書装置本体ＣＲＷ２はアンテナ部ＣＲＷ１より後方左側に配置されている。
【００７６】
前記トナーカートリッジＫｋ′のシャッタ支持部２０７ａと開閉蓋２１１とを前記カートリッジ装着部２０１ｋの案内溝２２１ｂに沿わせてトナーカートリッジＫｋ′を挿入すると、トナーカートリッジＫｋ′の後端部が誤装着規制位置である規制部材通過孔２２１ｆに到達する前に、着脱体情報記憶部材ＪＫＢとアンテナ部ＣＲＷ１は近接するように設定されている。また、トナーカートリッジＫｋ′を回転させて装着位置に移動させた状態で、前記着脱体情報記憶部材ＪＫＢは読書装置本体ＣＲＷ２に近接するように位置が設定されている。
【００７７】
図１４において前記規制部材通過孔２２１ｆの左方には実施例１と同様の着脱体規制装置ＫＳが配置されている。着脱体規制装置ＫＳにおける着脱体規制部材ＫＳ１は非通電時には図１４に示すように規制部材通過孔２２１ｆから右方、すなわちカートリッジ装着部２０１ｋの内部に突出した規制位置に保持され、通電時には規制部材通過孔２２１ｆの左方に収容された許可位置に移動する構成となっている。前記差し込み部２２１の内周面上側端部には係止用凹部２２１ｇが形成されている。トナーカートリッジＫｋ′をカートリッジ装着部２０１ｋに装着したとき、カートリッジ装着部２０１ｋの係止用凹部２２１ｇは、トナーカートリッジＫｋ′の被係止用突部２０７ｆを係止して位置決め固定する。
【００７８】
前記差し込み部２２１に固定された円形端部壁２２２の外周部には、図１４に示すような２個の円弧状の突出部材係合孔の一例としてのピン係合孔２２２ａが形成されている。前記トナーカートリッジＫｋ′の位置決めピン２０８ｄは、ピン係合孔２２２ａの一端部に挿入され、トナーカートリッジＫｋ′の回転に伴って前記円弧状のピン係合孔２２２ａに沿って回転し、前記円弧状のピン係合孔２２２ａの他端部に係止される。このときの、位置決めピン２０８ｄの回転方向は前記回転軸２１３の回転方向と同じ方向に設定されている。したがって、回転軸２１３が現像剤搬送用駆動源Ｍ２によって回転する時には、前記トナーカートリッジＫｋ′の位置決めピン２０８ｄは、円弧状のピン係合孔２２２ａの前記他端部に係止されているため、前記トナーカートリッジＫｋ′の回転は防止される。
【００７９】
図１５において、前記円形端部壁２２２の中央部には軸受２２３を介して回転軸２２４が回転自在に支持されている。この回転軸２２４前端部には駆動伝達部材の一例としての駆動側カップリング２２５が一体に形成されており、この駆動側カップリング２２５には４個の爪が形成されている。回転軸２２４の後端部には被駆動伝達部材の一例としてのギヤＧ４が固着されており、ギヤＧ４はギヤＧ１と噛み合わされている。
前記差し込み部２２１、円形端部壁２２２、軸受２２３、回転軸２２４、駆動側カップリング２２５およびギヤＧ４等からトナーカートリッジ装着部２０１ｋが構成されている。
【００８０】
図１２に示すように、各カートリッジ装着部２０１ｙ，２０１ｍ，２０１ｃ，２０１ｋはそれぞれ、同様の構成のトナーリザーブ容器２２６（供給容器）の上端に連結されている。各トナーリザーブ容器２２６の構成は同様なので、カートリッジ装着部２０１ｋ下部のトナーリザーブ容器２２６について説明する。
図１２および図１４において、トナーリザーブ容器２２６の内側下部は、左右方向（Ｙ軸方向）に離れて前後方向（Ｘ軸方向）に延びる一対の仕切壁２２６ａ，２２６ａにより、第１搬送部材２２７を収容する室、第２搬送部材２２８を収容する室、および、螺旋状回転搬送部材の一例としてのスクリューオーガ２２９を収容する室とに仕切られている。
トナーリザーブ容器２２６の後部にはカートリッジ装着部２０１ｋの現像剤受け入れ孔２２１ａに合わせて現像剤受け入れ孔２２６ｂが形成されている。また、前記スクリューオーガ２２９を収容する室の前方には図１４に示すような前方突出室２２６ｃが形成されている。前方突出室２２６ｃの前端部下面には輸送部材接続孔の一例としてのパイプ接続孔２２６ｄが形成されている。
【００８１】
図１４において、第１搬送部材２２７の軸の後端にはギヤＧ１、第２搬送部材２２８の軸の後端にはギヤＧ２、およびスクリューオーガ２２９の軸の後端にはギヤＧ３がそれぞれ固着されている。ギヤＧ１はギヤＧ３を介してギヤＧ２と噛み合わされている。トナーリザーブ容器２２６内で第１搬送部材２２７と第２搬送部材２２８とはトナーの搬送方向が逆向きとなっており、トナーリザーブ容器２２６内でトナーが循環、搬送されるようになっている。
前記トナーリザーブ容器２２６は，前記符号２２７〜２２９で示された要素により構成されている。
【００８２】
前記各カートリッジ装着部２０１ｙ，２０１ｍ，２０１ｃ，２０１ｋの下面に連結されたトナーリザーブ容器２２６のパイプ接続孔２２６ｄには、現像剤搬送部材３ｙ〜３ｋが接続されており、現像剤搬送部材３ｙ〜３ｋを介して現像装置Ｇｙ〜Ｇｋに現像剤が補給される。なお、このような構成は公知であり、例えば特開２００３−０２９５１８号公報等に記載されているので詳細な説明は省略する。
【００８３】
なお、実施例２の画像形成装置の制御部分では、実施例１の現像剤搬送用駆動源制御手段Ｃ７がカートリッジモータボックスＭＢ１ｙ〜ＭＢ１ｋを介して螺旋状回転搬送部材１２４ｙ〜１２４ｋ及び周方向搬送部材１２６ｙ〜１２６ｋを制御するのに替えて、第１搬送部材２２７、第２搬送部材２２８、スクリューオーガ２２９、攪拌部材２１４および搬送部材２１５を駆動させる点が異なるだけなので、ブロック図の図示及び詳細な説明は省略する。
【００８４】
（実施例２の作用）
前記構成を備えた実施例２の画像形成装置Ｕでは、開閉扉Ｕ１ａを開放してトナーカートリッジＫｙ′〜Ｋｋ′が装着されていないトナーカートリッジ装着部２０１ｙ〜２０１ｋにトナーカートリッジＫｙ′〜Ｋｋ′を装着する場合に、まずトナーカートリッジＫｙ′〜Ｋｋ′を離脱した離脱位置から差し込み部２２１の案内溝２２１ｂの浅溝２２１ｃと深溝２２１ｄとに、トナーカートリッジＫｙ′〜Ｋｋ′のシャッタ支持部２０７ａと開閉蓋２１１とを沿わせてトナーカートリッジＫｙ′〜Ｋｋ′を挿入する。
【００８５】
前記画像形成装置Ｕの電源がオンの状態では、挿入されたトナーカートリッジＫｙ′〜Ｋｋ′の後端部が誤装着規制位置に到達する前に、トナーカートリッジＫｙ′〜Ｋｋ′の外周部下方に設置されている着脱体情報記憶部材ＪＫＢと無線情報読書装置ＣＲＷのアンテナ部ＣＲＷ１が近接して、着脱体情報記憶部材ＪＫＢの情報が読み取られる。読み取られた情報に基づいてトナーカートリッジＫｙ′〜Ｋｋ′に収容されている現像剤の色とトナーカートリッジ装着部２０１ｙ〜２０１ｋの色とが一致している場合、ソレノイドＳＯＬが駆動され着脱体規制部材ＫＳ１はコイルバネＫＳ２のバネ力に抗して、規制位置から許可位置に移動する。
【００８６】
前記着脱体規制部材ＫＳ１が許可位置に移動すると、トナーカートリッジＫｙ′〜Ｋｋ′の挿入動作は妨げられず、差し込み部２２１の円形端部壁２２２のピン係合孔２２２ａにトナーカートリッジＫｙ′〜Ｋｋ′の位置決めピン２０８ｄが挿入され、駆動側カップリング２２５と受動側カップリング２１６ｂが噛み合う。そして、トナーカートリッジＫｙ′〜Ｋｋ′を前方から見て時計回りに回転させると、開閉蓋２１１は、深溝２２１ｂとガイド面２２１ｅの段差により周方向の移動が制限されているため回転しない。したがって、円筒壁２０７と一体的にシャッタ支持部２０７ａが回転し、シャッタ支持部２０７ａと開閉蓋２１１は相対的に移動し、開閉蓋２１１が現像剤排出孔２０７ａを遮蔽する遮蔽位置から開放位置に相対的に移動する。トナーカートリッジＫｙ′〜Ｋｋ′の本体の回転操作によって装着位置に移動すると、開閉蓋２１１が開放位置に移動し、現像剤排出口２０７ａは開放されて、現像剤受け入れ口２２１ａと繋がり、トナーカートリッジＫｙ′〜Ｋｋ′の現像剤を現像剤補給装置Ｈｙ〜Ｈｋに搬送可能となる。このとき、着脱体情報記憶部材ＪＫＢは読書装置本体ＣＲＷ２に近接した位置に移動しており、情報の読み書きが可能な状態となっている。なお、トナーカートリッジＫｙ′〜Ｋｋ′が装着位置に装着された状態では、差込部２２１の係止用凹部２２１ｇに円筒容器２０６の係止用突部２０７ｆが係止される。また、所定の時間が経過してソレノイドＳＯＬの駆動が終了すると、着脱体規制部材ＫＳ１はコイルバネＫＳ２の付勢力によって再び規制位置に移動しようとするが、装着されているトナーカートリッジＫｙ′〜Ｋｋ′の外周側面部に着脱体規制部材ＫＳ１が接触した状態で保持される。
【００８７】
前記画像形成装置Ｕの電源がオンの状態で、読み取られた情報に基づいてトナーカートリッジＫｙ′〜Ｋｋ′に収容されている現像剤の色と挿入されたトナーカートリッジ装着部２０１ｙ〜２０１ｋの色とが一致しない場合、ソレノイドＳＯＬは駆動されない。したがって、着脱体規制部材ＫＳ１はコイルバネＫＳ２の付勢力によって、図１４に示すような規制部材通過孔２２１ｆから右方に突出した規制位置に保持される。この状態でトナーカートリッジＫｙ′〜Ｋｋ′を挿入しトナーカートリッジＫｙ′〜Ｋｋ′の後端部が誤装着規制位置まで達すると、規制位置にある着脱体規制部材ＫＳ１に接触して、それ以上の挿入が妨げられる。従って、誤った色の現像剤が収容されているトナーカートリッジＫｙ′〜Ｋｋ′が装着されることが防止される。
【００８８】
前記画像形成装置Ｕの電源がオフの状態では、無線情報読書装置ＣＲＷが駆動しないため、着脱体情報記憶部材ＪＫＢの読み取りが行われないと共に、ソレノイドＳＯＬが駆動しない。したがって、着脱体規制部材ＫＳ１はコイルバネＫＳ２の付勢力によって、規制部材通過孔２２１ｆから右方に突出した規制位置に常時保持されている。この状態でトナーカートリッジＫｙ′〜Ｋｋ′を挿入しても、トナーカートリッジＫｙ′〜Ｋｋ′の後端部が誤装着規制位置まで達すると、規制位置にある着脱体規制部材ＫＳ１に接触して、それ以上の挿入が妨げられる。従って、トナーカートリッジＫｙ′〜Ｋｋ′に収容されている現像剤の色の判別が行われることなくトナーカートリッジＫｙ′〜Ｋｋ′の装着が行われることが防止される。すなわち、少なくとも誤った色の現像剤が収容されているトナーカートリッジＫｙ′〜Ｋｋ′が装着されることは防止される。
【００８９】
前記開閉扉Ｕ１ａを開放して装着位置にあるトナーカートリッジＫｙ′〜Ｋｋ′を離脱位置まで引き出す場合に、まず、トナーカートリッジＫｙ′〜Ｋｋ′を前方から見て反時計回りに回転させる。トナーカートリッジＫｙ′〜Ｋｋ′の本体は回転するが、開閉蓋２１１は、深溝２２１ｂと浅溝２２１ｃの段差により周方向の移動が制限されているため回転しない。したがって、開閉蓋２１１が現像剤排出孔２０７ｃを開放する開放位置から遮蔽位置に相対的に移動するため、現像剤排出口２０７ｃは開閉蓋２１１によって遮蔽される。
【００９０】
次に、シャッタ支持部２０７ａと開閉蓋２１１を案内溝２０７ｂに沿わせて、トナーカートリッジＫｙ′〜Ｋｋ′が引き出されることで取り出される。このとき、トナーカートリッジＫｙ′〜Ｋｋ′の後端部が誤装着規制位置より前方に移動すると、トナーカートリッジＫｙ′〜Ｋｋ′の外周部分に接触した状態に保持されていた着脱体規制部材ＫＳ１は、規制位置への移動を妨げるトナーカートリッジＫｙ′〜Ｋｋ′が存在しなくなると、コイルバネＫＳ２により図１４に示すように規制部材通過孔２１１ｆより右方に突出した規制位置に移動する。なお、着脱体規制装置ＫＳはコイルバネＫＳ２により非通電状態で作動するため、画像形成装置Ｕの電源がオン、オフに関わらず、トナーカートリッジＫｙ′〜Ｋｋ′の引出しの際に規制位置に移動する。
【実施例３】
【００９１】
図１６は実施例３のトナーカートリッジの説明図であり、図１６Ａは開閉部材が遮蔽位置にある状態の説明図、図１６Ｂは開閉部材が開放位置にある状態の要部を示す説明図、図１６Ｃは図１６ＡにおけるＸＶＩＣ−ＸＶＩＣ線断面図である。
図１７は実施例３のトナーカートリッジ装着部の斜視図である。
次に本発明の実施例３の説明をするが、この実施例３の説明において、前記実施例２の構成要素に対応する構成要素には同一の符号を付して、その詳細な説明を省略する。
この実施例は、下記の点で前記実施例２と相違しているが、他の点では前記実施例２と同様に構成される。
【００９２】
なお、以下の説明では４色のトナーカートリッジＫｙ″，Ｋｍ″，Ｋｃ″，Ｋｋ″は構成が同様となっているので、Ｋ（黒）のトナーカートリッジＫｋ″についてのみ説明する。
図１６において、トナーカートリッジＫｋ″は、内部に現像剤が収容されている容器本体３０１を有する。容器本体３０１は前後両端に一対の前端壁３０２及び後端壁３０３を有し、前端壁３０２及び後端壁３０３は底面がＵ字形状に形成されている。後端壁３０３の下部には後方に突出する円筒状の現像剤排出部３０４が接続されている。
【００９３】
図１６Ｂにおいて、現像剤排出部３０４の後方下側には現像剤排出口３０４ａが形成され、前端部の外周には鍔部３０４ｂが形成されている。
図１６において、現像剤排出部３０４の後端壁３０４ｃの中央部には被駆動伝達部材の一例としてのカップリング３０６が回転可能に支持されている。さらに、後端壁３０４ｃにはカップリング３０６を囲むように先端側（後端側）がやや開いた円筒状の案内部材の一例としてのガイド壁３０４ｄが設けられており、ガイド壁３０４ｄからは補強部材の一例としてのリブ３０４ｅが外周方向に放射状に複数形成されている。
現像剤排出部３０４には、円筒形状の開閉部材３０７が、図１６Ａに示す現像剤排出口３０４ａを遮蔽して閉塞する遮蔽位置と、図１６Ｂに示す現像剤排出口３０４ａを開放する開放位置との間を滑り移動可能に装着されている。開閉部材３０７は、前記鍔部３０４ｂの外径と同様の外径を持つ円筒状の開閉部材本体３０７ａと、開閉部材本体３０７ａの前端部に形成された開閉部材本体３０７ａに比べ外径が大きい被押圧部３０７ｂにより構成される。現像剤排出部３０４には開閉部材３０７と後端壁３０３との間に付勢部材の一例としてのコイルバネ３０８が装着されている。コイルバネ３０８は、コイルバネ３０８の一端が後端壁３０３に他端が被押圧部３０７ｂに接触した状態で装着されており、開閉部材３０７を図１６Ａに示す遮蔽位置側に押す付勢力を作用させる。
【００９４】
前記容器本体３０１の上部は容器蓋３０９で被覆され、容器蓋３０９の上面中央部の右方には着脱体情報記憶部材ＪＫＢが設置されている。また、容器蓋３０９の上面前端の中央部には取手支持凹部３０９ａが形成されている。図１６Ｃにおいて、取手支持凹部３０９ａには取手３１０が左右方向に伸びる軸３１０ａを中心として回転可能に支持されている。取手３１０の後端部には上方に突出する鉤爪状の引掛部３１０ｂが形成されており、前端部には庇状の把持部３１０ｃが形成されている。引掛部３１０ｂの下平面と、取手支持凹部３０９ａとの間には弾性部材の一例としてのコイルバネ３１０ｄが設置されている。したがって、取手３１０は通常時は、コイルバネ３１０ｄによりは図１６Ｃの実線で示す通常位置に保持され、トナーカートリッジＫｋ″の交換時に利用者が把持部３１０ｃを把持すると図１６Ｃの点線で示す引掛解除位置に移動する。
実施例３のトナーカートリッジＫｋ″は容器本体３０１、現像剤排出部３０４、カップリング３０６、開閉部材３０７、コイルバネ３０８、容器蓋３０９及び取手３１０により構成されている。
【００９５】
図１７において、トナーカートリッジ装着部３１１は、トナーカートリッジＫｙ″〜Ｋｋ″本体を下方より支持する本体支持板３１２を有する。本体支持板３１２の後方中央部には現像剤受入口３１２ａが形成され、現像剤受入口３１２ａはトナーリザーブ容器２２６の現像剤受入口２２６ｂに接続されている。さらに、本体支持板３１２の後方中央部には前記現像剤受入口３１２ａを覆うように、半円筒状の現像剤排出接続部３１３が設置されている。現像剤排出接続部３１３の内径は現像剤排出部３０４の鍔部３０４ｂの外径よりも大きく、被押圧部３０７ｂの外径よりも小さく設定されており、現像剤排出接続部３１３の半円筒状前端縁には被押圧部３０７ｂの後端に接触可能な開閉用押圧部３１３ａが形成されている。さらに、現像剤排出接続部３１３は後端に駆動伝達部材の一例としての駆動側カップリング３１４を回転可能に支持する支持壁３１６を有する。
【００９６】
前記本体支持板３１２の前方には本体支持部３１７が設置されている。本体支持部３１７は左右一対の曲面壁３１７ａを有しており、曲面壁３１７ａはトナーカートリッジＫｋ″の容器本体３０１の側面に沿った形状をしている。本体支持部３１７の上方には頂壁部３１７ｂが形成され、頂壁部３１７ｂの前方部中央には前記取手３１０が通常位置に移動した状態で引掛部３１０ｂが引掛り、且つ、取手３１０が引掛解除位置に移動すると引掛部３１０ｂが外れる引掛部材係合孔３１７ｃが形成されている。また、頂壁部３１７ｂの前方部右方には着脱体情報読書装置ＣＲＷのアンテナ部ＣＲＷ１が設置され、アンテナ部ＣＲＷ１の後方には読書装置本体ＣＲＷ２が設置されている。さらに、頂壁部３１７ｂの左右方向中央の後方部には実施例１と同様に構成されて下側の本体支持部３１７の内側に向けて着脱体規制部材ＫＳ１が出没可能な誤装着規制装置ＫＳが設置されている。なお、トナーカートリッジ挿入の際に、トナーカートリッジＫｋ″の後端部が誤装着規制位置となる誤装着規制装置ＫＳが配置されている部分に到達する前に、着脱体情報記憶部材ＪＫＢとアンテナ部ＣＲＷ１は近接し、トナーカートリッジＫｋ″が装着された際には着脱体情報記憶部材ＪＫＢと読書装置本体ＣＲＷ２が近接するように設定されている。
【００９７】
（実施例３の作用）
前記構成を備えた実施例３の画像形成装置Ｕでは、開閉扉Ｕ１ａを開放してトナーカートリッジＫｙ″〜Ｋｋ″が装着されていないトナーカートリッジ装着部３１１にトナーカートリッジＫｙ″〜Ｋｋ″を装着する場合に、まずトナーカートリッジＫｙ″〜Ｋｋ″を離脱した離脱位置からトナーカートリッジＫｙ″〜Ｋｋ″の側面を本体支持壁３１７の曲面部３１７ａに沿わせて挿入する。
前記画像形成装置Ｕの電源がオンの状態では、実施例１と同様に、挿入動作が妨げられる前に着脱体情報記憶部材ＪＫＢの情報が読み取られ、トナーカートリッジ装着部３１１の色に一致している場合、着脱体規制部材ＫＳ１は下方に突出した規制位置から許可位置に移動する。
【００９８】
したがって、着脱体規制部材ＫＳ１によってトナーカートリッジＫｙ″〜Ｋｋ″の挿入動作は妨げられず、現像剤排出部３０４は現像剤排出接続部３１３に挿入され、被押圧部３０７ｂと開閉用押圧部３１３ａが接触する。そのままトナーカートリッジＫｙ″〜Ｋｋ″を挿入すると、開閉用押圧部３１３ａにより被押圧部３０７ｂが押されて、コイルバネ３０８が縮み、開閉部材３０７が遮蔽位置から開放位置に相対的に移動する。開閉部材３０７が開放位置に移動すると、現像剤排出口３０４ａが現像剤受入口３１２ａと接続され、駆動側カップリング３１４とカップリング３０６は噛み合うと共に、取手３１０は通常位置に移動し引掛部３１０ｂが引掛部材係合孔３１７ｃに引っ掛って、いわゆるロックされた状態となり、トナーカートリッジＫｙ″〜Ｋｋ″は装着位置に保持される。
【００９９】
前記画像形成装置Ｕの電源がオン且つトナーカートリッジＫｙ″〜Ｋｋ″が誤装着された場合や画像形成装置Ｕの電源がオフの場合は、実施例１と同様に着脱体規制部材ＫＳ１が規制位置に保持され、挿入動作が妨げられる。したがって、異なる色の現像剤が収容されたトナーカートリッジＫｙ″〜Ｋｋ″が装着されることはない。
【０１００】
前記画像形成装置ＵからトナーカートリッジＫｙ″〜Ｋｋ″を引き出す場合、まず、利用者がトナーカートリッジＫｙ″〜Ｋｋ″の前方にある把持部３１０ｃを把持すると把持部３１０ｃが上方に引き上げられる。把持部３１０ｃが上方に引き上げられると、取手３１０は引掛解除位置に移動し引掛部３１０ｂが引掛部材係合孔３１７ｃから外れて、ロックが解除される。そして、把持部３１０ｃを把持したままトナーカートリッジＫｙ″〜Ｋｋ″を引き出すと、コイルバネ３０８が弾性復元で伸びて、開閉部材３０７は開閉位置から遮蔽位置に移動して、現像剤排出口３０４ａが閉じられる。そのまま引き出せば、実施例１と同様に画像形成装置Ｕの電源がオン、オフに関わらず着脱体規制部材ＫＳ１は規制位置に移動する。
【０１０１】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ05）を下記に例示する。
（H01）前記各実施例において、画像形成装置の一例としての複写方式の画像形成装置Ｕを例示したが、これに限定されず、プリンタ、ＦＡＸあるいはこれら複数の機能を備えた複合機等に適用可能である。また、感光体を利用する画像形成装置に限定されず、インクジェット記録方式等、着脱体が使用されている任意の画像形成方式の画像形成装置に適用可能である。また、多色現像の画像形成装置に限定されず、単色、いわゆる、モノクロの画像形成装置により構成することも可能である。
【０１０２】
（H02）前記実施例において、誤装着規制装置ＫＳにおける許可位置移動部材の一例としてソレノイドＳＯＬを使用したが、モータなどの電気的に制御可能な動力部材への変更が可能である。また、実施例３において、誤装着規制装置ＫＳにおいて規制位置移動部材の使用が望ましいが、規制位置移動部材の一例としてのコイルバネＫＳ２を省略し着脱体規制部材ＫＳ１の自重による移動構成も可能である。
（H03）前記実施例において、トナーカートリッジＫｙ〜Ｋｋ，Ｋｙ′〜Ｋｋ′，Ｋｙ″〜Ｋｋ″の挿入方向は略水平方向であったが、略水平方向以外に挿入するトナーカートリッジＫｙ〜Ｋｋ，Ｋｙ′〜Ｋｋ′，Ｋｙ″〜Ｋｋ″により構成することも可能である。
（Ｈ04）前記実施例において、誤装着判別手段Ｃ６Ｂは現像剤の色に基づいて誤装着されていないか否かを判別したが、これに限定されず、例えば、異なる複数の機種で装着されるトナーカートリッジの形状を共通化して、装着されるトナーカートリッジが、装着された機種に適合しているか否かを判別することで誤装着を判別する構成とすることも可能である。
（Ｈ05）前記実施例において、着脱体としてトナーカートリッジを例示したが、これに限定されず、例えば、現像装置や像保持体、定着装置などを画像形成装置に対して着脱、交換可能な着脱体として構成した場合に、これら着脱体の誤装着を防止する構成として、本発明を適用することも可能である。この場合、複数の機種において、定着装置等の形状を共通化し且つその他の構成（材料等）を機種ごとに最適化しつつ、他の機種の定着装置等が誤装着されることを防止できる。
【図面の簡単な説明】
【０１０３】
【図１】図１は実施例１の画像形成装置の斜視図である。
【図２】図２は実施例１の画像形成装置の全体説明図である。
【図３】図３は実施例１の現像剤補給装置の要部断面説明図である。
【図４】図４は実施例１の現像剤補給装置の斜視図である。
【図５】図５は実施例１の現像剤補給装置の斜視図であり、Ｙ(イエロー)色のトナーカートリッジが離脱した状態を示す図である。
【図６】図６は着脱体規制部材の説明であって、図６Ａは着脱体規制部材が規制位置に移動した状態の説明図、図６Ｂは着脱体規制部材が許可位置に移動した状態の説明図である。
【図７】図７はトナーカートリッジの斜視説明図である。
【図８】図８はトナーカートリッジの蓋を外した状態の平面図である。
【図９】図９は現像容器開閉部材及び取手部材が取り外された状態の現像容器の説明図であり、図９Ａはカートリッジ本体の下面図、図９Ｂは図９ＡにおけるＩＸＢ−ＩＸＢ線断面図、図９Ｃは図９ＡにおけるＩＸＣ−ＩＸＣ線断面図、図９Ｄは図９ＡにおけるＩＸＤ−ＩＸＤ線断面図である。
【図１０】図１０は実施例１の画像形成装置の制御部分が備えている各機能をブロック図で示した図である。
【図１１】図１１は実施例１の規制部材制御手段の制御処理のフローチャートの説明図である。
【図１２】図１２は図３に対応する図であり、実施例２の現像剤補給装置の説明図である。
【図１３】図１３は実施例２のトナーカートリッジの分解斜視図である。
【図１４】図１４は実施例２の現像剤貯蔵容器及びトナーカートリッジ装着部の斜視図である。
【図１５】図１５は実施例２のトナーカートリッジをトナーカートリッジ装着部に装着する状態を示す断面図である。
【図１６】図１６は実施例３のトナーカートリッジの説明図であり、図１６Ａは開閉部材が遮蔽位置にある状態の説明図、図１６Ｂは開閉部材が開放位置にある状態の要部を示す説明図、図１６Ｃは図１６ＡにおけるＸＶＩＣ−ＸＶＩＣ線断面図である。
【図１７】図１７は実施例３のトナーカートリッジ装着部の斜視図である。
【符号の説明】
【０１０４】
１２ａｙ，１２ａｍ，１２ａｃ，１２ａｋ，２２１ｆ…誤装着規制位置、
１１１ｙ，１１１ｍ，１１１ｃ，１１１ｋ，２０６，３０１…現像容器、
１２３ｙ，１２３ｍ，１２３ｃ，１２３ｋ，２０７ｃ，３０４ａ…排出口、
２１１，３０７…開閉部材、
Ｃ６…規制部材制御手段、
Ｃ６Ｂ…誤装着判別手段、
ＣＲＷ…着脱体情報読取部材、
ＪＫＢ…着脱体情報記憶部材、
ＫＳ１…着脱体規制部材、
ＫＳ２…規制位置移動部材、
ＳＯＬ…許可位置移動部材、
Ｋｙ，Ｋｍ，Ｋｃ，Ｋｋ，Ｋｙ′，Ｋｍ′，Ｋｃ′，Ｋｋ′，Ｋｙ″，Ｋｍ″，Ｋｃ″，Ｋｋ″…着脱体、現像剤補給用交換体、
Ｕ…画像形成装置、
Ｕ１…画像形成装置本体。
【図１】
2009103991.tif 000003
【図２】
2009103991.tif 000004
【図３】
2009103991.tif 000005
【図４】
2009103991.tif 000006
【図５】
2009103991.tif 000007
【図６】
2009103991.tif 000008
【図７】
2009103991.tif 000009
【図８】
2009103991.tif 000010
【図９】
2009103991.tif 000011
【図１０】
2009103991.tif 000012
【図１１】
2009103991.tif 000013
【図１２】
2009103991.tif 000014
【図１３】
2009103991.tif 000015
【図１４】
2009103991.tif 000016
【図１５】
2009103991.tif 000017
【図１６】
2009103991.tif 000018
【図１７】
2009103991.tif 000019